【手続補正書】
【提出日】令和3年5月12日(2021.5.12)
【手続補正１】
【補正対象書類名】特許請求の範囲
【補正対象項目名】全文
【補正方法】変更
【補正の内容】
【特許請求の範囲】
【請求項１】
直列に接続された２つのスイッチ素子を備えるスイッチ列が２組構成され、１つの前記スイッチ列である第１スイッチ列（Ｌ１）と他の前記スイッチ列である第２スイッチ列（Ｌ２）が互いに並列になっているＨブリッジ回路（１６）を複数備え、
１つの前記Ｈブリッジ回路が備える前記第１スイッチ列の２つの前記スイッチ素子間と、そのＨブリッジ回路の前記第２スイッチ列の２つの前記スイッチ素子間とに接続されたアンテナエレメントである単独接続型アンテナエレメントと、
前記第１スイッチ列が備える２つの前記スイッチ素子間と、他の前記Ｈブリッジ回路の前記第２スイッチ列が備える２つの前記スイッチ素子間とに接続されたアンテナエレメントである複合接続型アンテナエレメントと、を備えるアンテナ装置であって、
ハイ信号とロー信号が入力され、前記スイッチ素子をオンオフ制御するスイッチ制御回路（１５）を備え、
前記スイッチ制御回路は、前記単独接続型アンテナエレメントが接続されている１つの前記Ｈブリッジ回路に対して、前記ハイ信号が入力されたときは、前記第１スイッチ列のハイサイドのスイッチ素子と前記第２スイッチ列のローサイドのスイッチ素子とをオンさせ、他の前記スイッチ素子はオフにし、前記ロー信号が入力されたときは、前記第２スイッチ列のハイサイドのスイッチ素子と前記第１スイッチ列のローサイドのスイッチ素子とをオンにし、他の前記スイッチ素子はオフにすることで、前記単独接続型アンテナエレメントに対して双方向に交互に電流を流す単独制御を実行し、
さらに、前記スイッチ制御回路は、
前記単独接続型アンテナエレメントが接続されている１つの前記Ｈブリッジ回路に対して、前記スイッチ制御回路に前記ハイ信号が入力されたときは、前記第１スイッチ列のハイサイドのスイッチ素子と前記第２スイッチ列のローサイドのスイッチ素子とをオンさせ、前記スイッチ制御回路に前記ロー信号が入力されたときは、前記第２スイッチ列のハイサイドのスイッチ素子と前記第１スイッチ列のローサイドのスイッチ素子とをオンすることで、前記単独接続型アンテナエレメントに対して双方向に交互に電流を流し、
前記複合接続型アンテナエレメントが接続されている前記第１スイッチ列および前記第２スイッチ列に対して、前記スイッチ制御回路に前記ハイ信号が入力されたときは、前記第１スイッチ列のハイサイドの前記スイッチ素子と前記第２スイッチ列のローサイドの前記スイッチ素子をオンさせ、前記スイッチ制御回路に前記ロー信号が入力されたときは、前記第１スイッチ列のローサイドの前記スイッチ素子と前記第２スイッチ列のハイサイドの前記スイッチ素子をオンする同時制御を実行する、アンテナ装置。
【請求項２】
前記単独接続型アンテナエレメントが接続されている前記Ｈブリッジ回路を２つ以上備え、
１つの前記単独接続型アンテナエレメントが接続されている前記Ｈブリッジ回路を第１Ｈブリッジ回路とし、
他の前記単独接続型アンテナエレメントが接続されている前記Ｈブリッジ回路を第２Ｈブリッジ回路としたとき、
前記スイッチ制御回路は、
前記ハイ信号が入力されたときは、前記第１Ｈブリッジ回路に対して、前記第１スイッチ列のハイサイドの前記スイッチ素子と前記第２スイッチ列のローサイドの前記スイッチ素子をオンにし、前記第２Ｈブリッジ回路に対して、前記第１スイッチ列のローサイドの前記スイッチ素子と前記第２スイッチ列のハイサイドの前記スイッチ素子をオンにし、残りの前記スイッチ素子をオフにし、
前記ロー信号が入力されたときは、前記第１Ｈブリッジ回路に対して、前記第１スイッチ列のローサイドの前記スイッチ素子と前記第２スイッチ列のハイサイドの前記スイッチ素子をオンにし、前記第２Ｈブリッジ回路に対して、前記第１スイッチ列のハイサイドの前記スイッチ素子と前記第２スイッチ列のローサイドの前記スイッチ素子をオンにし、残りの前記スイッチ素子をオフにする、
逆相同時制御を実行する、請求項１に記載のアンテナ装置。
【請求項３】
直列に接続された２つのスイッチ素子を備えるスイッチ列が２組構成され、１つの前記スイッチ列である第１スイッチ列（Ｌ１）と他の前記スイッチ列である第２スイッチ列（Ｌ２）が互いに並列になっているＨブリッジ回路（１６）を複数備え、
１つの前記Ｈブリッジ回路が備える前記第１スイッチ列の２つの前記スイッチ素子間と、そのＨブリッジ回路の前記第２スイッチ列の２つの前記スイッチ素子間とに接続されたアンテナエレメントである単独接続型アンテナエレメントと、
前記第１スイッチ列が備える２つの前記スイッチ素子間と、他の前記Ｈブリッジ回路の前記第２スイッチ列が備える２つの前記スイッチ素子間とに接続されたアンテナエレメントである複合接続型アンテナエレメントと、を備えるアンテナ装置であって、
ハイ信号とロー信号が入力され、前記スイッチ素子をオンオフ制御するスイッチ制御回路（１５）を備え、
前記スイッチ制御回路は、前記単独接続型アンテナエレメントが接続されている１つの前記Ｈブリッジ回路に対して、前記ハイ信号が入力されたときは、前記第１スイッチ列のハイサイドのスイッチ素子と前記第２スイッチ列のローサイドのスイッチ素子とをオンさせ、他の前記スイッチ素子はオフにし、前記ロー信号が入力されたときは、前記第２スイッチ列のハイサイドのスイッチ素子と前記第１スイッチ列のローサイドのスイッチ素子とをオンにし、他の前記スイッチ素子はオフにすることで、前記単独接続型アンテナエレメントに対して双方向に交互に電流を流す単独制御を実行し、
前記単独接続型アンテナエレメントが接続されている前記Ｈブリッジ回路を２つ以上備え、
１つの前記単独接続型アンテナエレメントが接続されている前記Ｈブリッジ回路を第１Ｈブリッジ回路とし、
他の前記単独接続型アンテナエレメントが接続されている前記Ｈブリッジ回路を第２Ｈブリッジ回路としたとき、
前記スイッチ制御回路は、
前記ハイ信号が入力されたときは、前記第１Ｈブリッジ回路に対して、前記第１スイッチ列のハイサイドの前記スイッチ素子と前記第２スイッチ列のローサイドの前記スイッチ素子をオンにし、前記第２Ｈブリッジ回路に対して、前記第１スイッチ列のローサイドの前記スイッチ素子と前記第２スイッチ列のハイサイドの前記スイッチ素子をオンにし、残りの前記スイッチ素子をオフにし、
前記ロー信号が入力されたときは、前記第１Ｈブリッジ回路に対して、前記第１スイッチ列のローサイドの前記スイッチ素子と前記第２スイッチ列のハイサイドの前記スイッチ素子をオンにし、前記第２Ｈブリッジ回路に対して、前記第１スイッチ列のハイサイドの前記スイッチ素子と前記第２スイッチ列のローサイドの前記スイッチ素子をオンにし、残りの前記スイッチ素子をオフにする、
逆相同時制御を実行する、アンテナ装置。
【請求項４】
前記スイッチ制御回路は、前記複合接続型アンテナエレメントが接続されている前記第１スイッチ列および前記第２スイッチ列に対して、前記ハイ信号が入力されたときは、前記第１スイッチ列のハイサイドの前記スイッチ素子と前記第２スイッチ列のローサイドの前記スイッチ素子をオンさせ、他の前記スイッチ素子はオフにし、前記ロー信号が入力されたときは、前記第１スイッチ列のローサイドの前記スイッチ素子と前記第２スイッチ列のハイサイドの前記スイッチ素子をオンさせ、他の前記スイッチ素子はオフにすることで、前記複合接続型アンテナエレメントに対して双方向に交互に電流を流す複合制御を実行する、請求項１〜３のいずれか１項に記載のアンテナ装置。
【請求項５】
前記Ｈブリッジ回路は、前記単独接続型アンテナエレメントが接続されている線路から、前記複合接続型アンテナエレメントが接続されている線路が分岐する分岐点（３２）を備え、
前記分岐点よりも前記単独接続型アンテナエレメント側の線路および前記分岐点よりも前記複合接続型アンテナエレメント側の線路の少なくとも一方に、出力調整抵抗（３１）が配置されている、請求項１〜４のいずれか１項に記載のアンテナ装置。
【請求項６】
前記Ｈブリッジ回路は、前記単独接続型アンテナエレメントが接続されている線路から、前記複合接続型アンテナエレメントが接続されている線路が分岐する分岐点（３２）を備え、
前記分岐点よりも前記単独接続型アンテナエレメントおよび前記複合接続型アンテナエレメントから遠い側の線路に断線検出回路（４０）が接続されている、請求項１〜５のいずれか１項に記載のアンテナ装置。
【手続補正２】
【補正対象書類名】明細書
【補正対象項目名】０００７
【補正方法】変更
【補正の内容】
【０００７】
上記目的を達成するための１つの開示は、
直列に接続された２つのスイッチ素子を備えるスイッチ列が２組構成され、１つのスイッチ列である第１スイッチ列（Ｌ１）と他のスイッチ列である第２スイッチ列（Ｌ２）が互いに並列になっているＨブリッジ回路（１６）を複数備え、
１つのＨブリッジ回路が備える第１スイッチ列の２つのスイッチ素子間と、そのＨブリッジ回路の第２スイッチ列の２つのスイッチ素子間とに接続されたアンテナエレメントである単独接続型アンテナエレメントと、
第１スイッチ列が備える２つのスイッチ素子間と、他のＨブリッジ回路の第２スイッチ列が備える２つのスイッチ素子間とに接続されたアンテナエレメントである複合接続型アンテナエレメントと、を備えるアンテナ装置であって、
ハイ信号とロー信号が入力され、スイッチ素子をオンオフ制御するスイッチ制御回路（１５）を備え、
スイッチ制御回路は、単独接続型アンテナエレメントが接続されている１つのＨブリッジ回路に対して、ハイ信号が入力されたときは、第１スイッチ列のハイサイドのスイッチ素子と第２スイッチ列のローサイドのスイッチ素子とをオンさせ、他のスイッチ素子はオフにし、ロー信号が入力されたときは、第２スイッチ列のハイサイドのスイッチ素子と第１スイッチ列のローサイドのスイッチ素子とをオンにし、他のスイッチ素子はオフにすることで、単独接続型アンテナエレメントに対して双方向に交互に電流を流す単独制御を実行し、
さらに、スイッチ制御回路は、
単独接続型アンテナエレメントが接続されている１つのＨブリッジ回路に対して、スイッチ制御回路にハイ信号が入力されたときは、第１スイッチ列のハイサイドのスイッチ素子と第２スイッチ列のローサイドのスイッチ素子とをオンさせ、スイッチ制御回路にロー信号が入力されたときは、第２スイッチ列のハイサイドのスイッチ素子と第１スイッチ列のローサイドのスイッチ素子とをオンすることで、単独接続型アンテナエレメントに対して双方向に交互に電流を流し、
複合接続型アンテナエレメントが接続されている第１スイッチ列および第２スイッチ列に対して、スイッチ制御回路にハイ信号が入力されたときは、第１スイッチ列のハイサイドのスイッチ素子と第２スイッチ列のローサイドのスイッチ素子をオンさせ、スイッチ制御回路にロー信号が入力されたときは、第１スイッチ列のローサイドのスイッチ素子と第２スイッチ列のハイサイドのスイッチ素子をオンする同時制御を実行する、アンテナ装置である。
上記目的を達成するための他の１つの開示は、
直列に接続された２つのスイッチ素子を備えるスイッチ列が２組構成され、１つのスイッチ列である第１スイッチ列（Ｌ１）と他のスイッチ列である第２スイッチ列（Ｌ２）が互いに並列になっているＨブリッジ回路（１６）を複数備え、
１つのＨブリッジ回路が備える第１スイッチ列の２つのスイッチ素子間と、そのＨブリッジ回路の第２スイッチ列の２つのスイッチ素子間とに接続されたアンテナエレメントである単独接続型アンテナエレメントと、
第１スイッチ列が備える２つのスイッチ素子間と、他のＨブリッジ回路の第２スイッチ列が備える２つのスイッチ素子間とに接続されたアンテナエレメントである複合接続型アンテナエレメントと、を備えるアンテナ装置であって、
ハイ信号とロー信号が入力され、スイッチ素子をオンオフ制御するスイッチ制御回路（１５）を備え、
スイッチ制御回路は、単独接続型アンテナエレメントが接続されている１つのＨブリッジ回路に対して、ハイ信号が入力されたときは、第１スイッチ列のハイサイドのスイッチ素子と第２スイッチ列のローサイドのスイッチ素子とをオンさせ、他のスイッチ素子はオフにし、ロー信号が入力されたときは、第２スイッチ列のハイサイドのスイッチ素子と第１スイッチ列のローサイドのスイッチ素子とをオンにし、他のスイッチ素子はオフにすることで、単独接続型アンテナエレメントに対して双方向に交互に電流を流す単独制御を実行し、
単独接続型アンテナエレメントが接続されているＨブリッジ回路を２つ以上備え、
１つの単独接続型アンテナエレメントが接続されているＨブリッジ回路を第１Ｈブリッジ回路とし、
他の単独接続型アンテナエレメントが接続されているＨブリッジ回路を第２Ｈブリッジ回路としたとき、
スイッチ制御回路は、
ハイ信号が入力されたときは、第１Ｈブリッジ回路に対して、第１スイッチ列のハイサイドのスイッチ素子と第２スイッチ列のローサイドのスイッチ素子をオンにし、第２Ｈブリッジ回路に対して、第１スイッチ列のローサイドのスイッチ素子と第２スイッチ列のハイサイドのスイッチ素子をオンにし、残りのスイッチ素子をオフにし、
ロー信号が入力されたときは、第１Ｈブリッジ回路に対して、第１スイッチ列のローサイドのスイッチ素子と第２スイッチ列のハイサイドのスイッチ素子をオンにし、第２Ｈブリッジ回路に対して、第１スイッチ列のハイサイドのスイッチ素子と第２スイッチ列のローサイドのスイッチ素子をオンにし、残りのスイッチ素子をオフにする、
逆相同時制御を実行する、アンテナ装置である。